(57)【要約】【課題】強化された組立て強度を有する掘削刃ヘッドアセンブリを提供すること。【解決手段】  掘削刃ヘッドアセンブリはヘッド本体と２つの掘削刃アセンブリとを有する。ヘッド本体は、接続スタブと基体と保持ヘッドとを有する。保持ヘッドは２つの保持部を有し、保持部はそれぞれ当接面と上部ネジ孔と側部ネジ孔とを有する。掘削刃アセンブリは、それぞれ保持部に調整可能に取り付けられ、それぞれ掘削刃ブラケットとブレードと上部保持スクリューと側部保持スクリューとを有する。掘削刃ブラケットは、対応する一方の保持部に調整可能に取り付けられ、係合面と側部楕円孔と保持ブロックとを有する。掘削刃ブラケットは、掘削刃ブラケットと保持ヘッドとの接触領域が拡大し、掘削刃ヘッドアセンブリの結合強度が強化されるように、複数面において保持部に当接する。【選択図】図１
0003141963.tif 000002
【実用新案登録請求の範囲】
【請求項１】
ヘッド本体に調整可能に取り付けられる２つの掘削刃アセンブリを有する掘削刃ヘッドアセンブリであって、
前記ヘッド本体は、上部を有する接続スタブと、前記接続スタブの前記上部に形成されかつ上面を有する基体と、前記基体の前記上面に突設されかつ２つの保持部を備える保持ヘッドと、を備え、
前記各保持部は、保持部上部と、他方の前記保持部の当接面の反対にある当接面と、前記保持部上部に設けられる上部ネジ孔と、前記当接面に設けられる側部ネジ孔と、を備え、
前記各掘削刃アセンブリは、対応する前記保持部に調整可能に取り付けられる掘削刃ブラケットと、前記掘削刃ブラケットの掘削刃マウントに固着されるブレードと、前記掘削刃ブラケットの上部楕円孔を貫通して延伸しかつ対応する前記保持部の前記上部ネジ孔と螺合する上部保持スクリューと、前記掘削刃ブラケットの側部楕円孔を貫通して延伸しかつ対応する前記保持部の前記側部ネジ孔と螺合する側部保持スクリューと、を備え、
前記各掘削刃ブラケットは、掘削刃ブラケット上部と、前記ヘッド本体の前記基体の前記上面に当接する底部と、対応する前記保持部の前記当接面に当接し係合する係合面と、対応する前記保持部の前記当接面を貫通して形成されかつ前記側部ネジ孔と揃えて配置される前記側部楕円孔と、前記掘削刃ブラケット上部に形成される保持ブロックと、を備え、
前記各保持ブロックは、保持ブロック上部と、対応する前記保持部の前記保持部上部に当接する底部と、他方の前記保持ブロックに対して反対の端部に形成される前記掘削刃マウントと、前記保持ブロック上部を貫通して形成されかつ対応する前記保持部の前記上部ネジ孔と揃えて配置される前記上部楕円孔と、を備えることを特徴とする掘削刃ヘッドアセンブリ。
【請求項２】
請求項１に記載の掘削刃ヘッドアセンブリにおいて、
前記保持ヘッドの各保持部は、前記保持部の前記当接面に横方向に設けられ、底面を有する誘導路を備え、
前記各掘削刃ブラケットの係合面は、前記係合面に突設され、前記誘導路の底面に係合し当接する係合突起を備える、ことを特徴とする掘削刃ヘッドアセンブリ。
【請求項３】
請求項２に記載の掘削刃ヘッドアセンブリにおいて、
前記各保持部は、他方の前記保持部の調整端の反対にある調整端と、
前記調整端に設けられる調整ネジ孔と、前記誘導路の底面に横方向に設けられ、前記調整ネジ孔と連通する誘導孔と、前記調整ネジ孔に螺合されかつ一端の近傍の周囲に環状凹部を有する調整ボルトと、を有し、
前記各掘削刃ブラケットは、前記係合突起を貫通して前記掘削刃ブラケットに設けられ、対応する前記保持部の前記誘導孔と揃えて配置されるネジ孔と、前記掘削刃ブラケットの前記ネジ孔に螺合され、対応する前記保持部の前記誘導孔を通って前記調整ネジ孔内に延伸しかつ対応する一方の前記調整ボルトの前記環状凹部と係合する駆動ポストとを有する駆動ボルトと、を有することを特徴とする掘削刃ヘッドアセンブリ。
【請求項４】
請求項３に記載の掘削刃ヘッドアセンブリにおいて、
前記接続スタブは、底部と、前記底部に設けられるオイル注入口とを有し、
前記各保持部は、前記保持部の上部の、前記保持部の前記調整ネジ孔の反対の端部に設けられる傾斜面と、前記保持部に設けられ、前記オイル注入口と連通し、前記傾斜面に延伸して前記傾斜面にオイル注入口を形成する流路と、を有することを特徴とする掘削刃ヘッドアセンブリ。
【請求項５】
請求項１から請求項４の何れかに記載の掘削刃ヘッドアセンブリにおいて、前記基体と前記各掘削刃ブラケットとの間に形成される目盛りを備えることを特徴とする掘削刃ヘッドアセンブリ。
【考案の詳細な説明】
【技術分野】
【０００１】
本考案は掘削刃ヘッドアセンブリに関し、より詳しくは、強化された組立て強度を有する掘削刃ヘッドアセンブリに関する。
【背景技術】
【０００２】
従来の掘削刃ヘッドアセンブリは、ヘッド本体と２つの掘削刃ブラケットとを備える。掘削刃ブラケットはヘッド本体に位置調整可能に取り付けられ、それぞれブレードを有する。掘削刃ブラケットのヘッド本体に対する取付位置を調整することにより、異なる作業上の要請に適合するように、各ブレード間の距離を調整することができる。
【考案の開示】
【考案が解決しようとする課題】
【０００３】
しかし、従来の掘削刃ヘッドアセンブリの結合強度は、ヘッド本体と掘削刃ブラケットとの接触領域が小さいため、大きな負荷を伴う作業条件に適合させるには十分でない。
この欠点を克服するべく、本考案は、前記問題を緩和または回避する掘削刃ヘッドアセンブリの提供に資するものである。
【０００４】
本考案の主たる目的は、強化された組立て強度を有する掘削刃ヘッドアセンブリを提供することである。
【課題を解決するための手段】
【０００５】
掘削刃ヘッドアセンブリはヘッド本体と２つの掘削刃ブラケットとを備える。
ヘッド本体は、接続スタブと基体と保持ヘッドとを有する。基体は接続スタブの上部に形成され、上面を有する。保持ヘッドは基体の上面に突設され、２つの保持部を備える。
各保持部は、上部と当接面と上部楕円孔と側部楕円孔とを有する。当接面は他方の保持部の当接面の反対にある。上部ネジ孔は保持部の上部に設けられる。側部ネジ孔は当接面に設けられる。
【０００６】
掘削刃アセンブリはそれぞれ保持部に調整可能に取り付けられ、それぞれ掘削刃ブラケットとブレードと上部保持スクリューと側部保持スクリューとを有する。
掘削刃ブラケットは、対応する一方の保持部に調整可能に取り付けられ、上部と底部と係合面と側部楕円孔と保持ブロックとを有する。底部はヘッド本体の基体の上面に当接する。係合面は、対応する保持部の当接面に当接し係合する。側部楕円孔は係合面を貫通して形成され、対応する保持部の側部ネジ孔と揃えて配置される。
【０００７】
保持ブロックは掘削刃ブラケットの上部に形成され、上部と底部と掘削刃マウントと上部楕円孔とを有する。底部は、対応する保持部の上部に当接する。掘削刃マウントは保持ブロックの上部の、他方の掘削刃アセンブリの掘削刃ブラケットの保持ブロックの掘削刃マウントに対して反対の端部、に形成される。上部楕円孔は保持ブロックの上部を貫通して形成され、対応する保持部の上部ネジ孔と揃えて配置される。
ブレードは、掘削刃ブラケットの掘削刃マウントに固着される。上部保持スクリューは上部楕円孔を通って延伸し、対応する保持部の上部ネジ孔と螺合する。側部保持スクリューは側部楕円孔を通って延伸し、対応する保持部の側部ネジ孔と螺合する。
【考案を実施するための最良の形態】
【０００８】
図１ないし図５に示されるように、本考案に係る掘削刃ヘッドアセンブリはヘッド本体１０と２つの掘削刃アセンブリ２０とを備える。ヘッド本体１０は接続スタブ１１と、基体１２と、保持ヘッド１３とを備える。接続スタブ１１は、上部と、底部と、切削オイルまたは潤滑油がオイル注入口１１１を介してヘッド本体１０に流入できるように底部に設けられたオイル注入口１１１とを有する。基体１２は接続スタブ１１の上部に形成され、上面を有する。
【０００９】
保持ヘッド１３は基体１２の上面に突設され、２つの保持部１３１を備える。
各保持部１３１は、上部（保持部上部）と、当接面１３１２と、調整端と、上部ネジ孔１３１１と、側部ネジ孔１３１３と、調整ネジ孔１３１５と、誘導路１３１４と、誘導孔１３１６と、傾斜面１３１７と、流路１３１８とを有する。保持部１３１の当接面１３１２は他方の保持部１３１の当接面１３１２の反対にある。調整端は、保持部１３１の当接面１３１２に隣接し、他方の保持部１３１の調整端の反対にある。上部ネジ孔１３１１は保持部１３１の上部に設けられる。側部ネジ孔１３１３は当接面１３１２に設けられる。調整ネジ孔１３１５は調整端に設けられる。調整ボルト３１は、調整ネジ孔１３１５に螺合され、調整ボルト３１の一端の近傍に環状凹部３１１を有する。
【００１０】
誘導路１３１４は当接面１３１２に横方向に設けられ、底面を有する。誘導孔１３１６は、誘導路１３１４の底面に横方向に設けられ、調整ネジ孔１３１５と連通する。傾斜面１３１７は、保持部１３１の上部の、同じ保持部１３１の調整ネジ孔１３１５の反対の端部、に設けられる。流路１３１８は、保持部１３１に設けられ、オイル注入口１１１と連通し、傾斜面１３１７に延伸して傾斜面１３１７にオイル注入口を形成する。
【００１１】
掘削刃アセンブリ２０はそれぞれ保持部１３１に調整可能に取り付けられ、各掘削刃アセンブリ２０は、掘削刃ブラケット２１と、ブレード２１２４と、上部保持スクリュー２１２３と、側部保持スクリュー２１１４と、駆動ボルト３２とを備える。
【００１２】
掘削刃ブラケット２１は、対応する一方の保持部１３１に調整可能に取り付けられ、上部（掘削刃ブラケット上部）と、底部と、係合面２１１１と、係合突起２１１２と、側部楕円孔２１１３と、ネジ孔２１１５と、保持ブロック２１２とを有する。掘削刃ブラケット２１の底部はヘッド本体１０の基体１２上面に当接する。係合面２１１１は、対応する保持部１３１の当接面１３１２に当接し係合する。側部楕円孔２１１３は、対応する保持部１３１の係合面２１１１を貫通して形成され、側部ネジ孔１３１３と揃えて配置される。係合突起２１１２は、係合面２１１１に突設され、誘導路１３１４の底面に係合し当接する。ネジ孔２１１５は、係合突起２１１２を貫通して掘削刃ブラケット２１に設けられ、対応する保持部１３１の誘導孔１３１６と揃えて配置される。
【００１３】
保持ブロック２１２は、掘削刃ブラケット２１の上部に形成され、上部（保持ブロック上部）と、底部と、掘削刃マウント２１２２と、上部楕円孔２１２１とを有する。底部は対応する保持部１３１の上部に当接する。掘削刃マウント２１２２は、保持ブロック２１２の上部の、他方の掘削刃アセンブリ２０の掘削刃ブラケット２１の保持ブロック２１２の掘削刃マウント２１２２に対して反対の端部、に形成される。上部楕円孔２１２１は、保持ブロック２１２の上部を貫通して形成され、対応する保持部１３１の上部ネジ孔１３１１と揃えて配置される。
【００１４】
ブレード２１２４は、掘削刃ブラケット２１上の掘削刃マウント２１２２に締め具を介して確実に取り付けられる。
上部保持スクリュー２１２３は、上部楕円孔２１２１を貫通して延伸し、対応する保持部１３１の上部ネジ孔１３１１と螺合する。
側部保持スクリュー２１１４は、側部楕円孔２１１３を貫通して延伸し、対応する保持部１３１の側部ネジ孔１３１３と螺合する。
駆動ボルト３２は、掘削刃ブラケット２１のネジ孔２１１５に螺合され、駆動ボルト３２はまた、対応する保持部１３１の誘導孔１３１６を通って調整ネジ孔１３１５内に延伸し、かつ、対応する一方の調整ボルト３１の環状凹部３１１と係合する駆動ポスト３２１、を有する。
【００１５】
保持スクリュー２１１４，２１２３の構成により、掘削刃ブラケット２１はヘッド本体１０の保持部１３１に確実に取り付けられる。保持ブロック２１２の底部が保持部１３１の上部に当接し、掘削刃ブラケット２１の係合面２１１１と底部とがそれぞれ保持部１３１の当接面１３１２と基体の上面とに当接することから、掘削刃ブラケット２１と保持ヘッド１３との接触領域は拡大される。こうして、掘削刃ヘッドアセンブリの結合強度は強化され、掘削刃ヘッドアセンブリは耐用性を有し使用寿命が長期化される。
【００１６】
図５ないし図７に示されるように、保持スクリュー２１１４、２１２３が緩められると、掘削刃ブラケット２１は誘導路１３１４に沿って摺動し、ブレード２１２４間の距離は異なる作業上の要請に適合するように変更される。
掘削刃ブラケット２１を保持ヘッド１３に対して摺動させるために、調整ボルト３１が回動され調整ネジ孔１３１５に沿って動く。各環状凹部３１１と各駆動ポスト３２１との係合により、駆動ボルト３２は調整ボルト３１とともに動くことになり、掘削刃ブラケット２１は保持ヘッド１３に対して摺動することになる。
【００１７】
加えて、目盛Ａが基体１２と各掘削刃ブラケット２１との間に形成され、掘削刃ブラケット２１の位置を調整する際に参照することができる。
例えば、図６の左側の状態（調整前）では目盛Ａは２４ｍｍを指している。ここで、保持スクリュー２１１４、２１２３を緩めて掘削刃ブラケット２１を移動させる。移動に伴って目盛Ａの表示も変化し、この表示に基づいて調整量を識別することができる。図６の右側の状態（調整後）は３０ｍｍであり、調整前の状態から６ｍｍ拡げられたことが解る。
【産業上の利用可能性】
【００１８】
本考案は掘削刃ヘッドアセンブリに関し、建設工事や土木工事における掘削作業などに利用できる。
【図面の簡単な説明】
【００１９】
【図１】本考案の一実施形態に係る掘削刃ヘッドアセンブリの斜視図である。
【図２】前記実施形態のアセンブリの分解斜視図である。
【図３】前記実施形態のアセンブリの正面図である。
【図４】前記実施形態のアセンブリの部分断面における拡大上面図である。
【図５】前記実施形態のアセンブリの側面図である。
【図６】前記実施形態においてブレード間の距離調整を示す側面図であり、図中左側が調整前の状態、図中右側が調整後の状態を示す。
【図７】前記実施形態においてブレード間の距離調整を示す斜視図である。
【符号の説明】
【００２０】
１０…ヘッド本体、１１…接続スタブ、１２…基体、１３…保持ヘッド、２０…掘削刃アセンブリ、２１…掘削刃ブラケット、３１…調整ボルト、３２…駆動ボルト、１１１…オイル注入口、１３１…保持部、２１２…保持ブロック、３１１…環状凹部、３２１…駆動ポスト、１３１１…上部ネジ孔、１３１２…当接面、１３１３…側部ネジ孔、１３１４…誘導路、１３１５…調整ネジ孔、１３１６…誘導孔、１３１７…傾斜面、１３１８…流路、２１１１…係合面、２１１２…係合突起、２１１３…側部楕円孔、２１１４…側部保持スクリュー、２１１５…ネジ孔、２１２１…上部楕円孔、２１２２…掘削刃マウント、２１２３…上部保持スクリュー、２１２４…ブレード、Ａ…目盛り。
【図１】
0003141963.tif 000003
【図２】
0003141963.tif 000004
【図３】
0003141963.tif 000005
【図４】
0003141963.tif 000006
【図５】
0003141963.tif 000007
【図６】
0003141963.tif 000008
【図７】
0003141963.tif 000009